Podtech/llm-jp-corpus-v4-ja_patent huggingface dataset:
(57)【要約】      （修正有）【課題】食パン等の弾力性のある食品も切断が良好で、コンパクトな構造からなる食品の切断装置の提供を目的とする。【解決手段】切断装置は切断する食品Ｂを載置するスライダ１２と、食品を切断する切断刃１３を備え、切断刃１３に過熱蒸気を噴霧する過熱蒸気噴霧部１７を有する。スライダ１２は、切断刃１３の切断方向に沿って相対的にスライド往復するスライド手段を有し、スライダ１２に載置した食品Ｂの切断寸法が一定になるようにした定板を有する。【選択図】図１
2019076968.tif 000002
【特許請求の範囲】
【請求項１】
切断する食品を載置する載置台と、前記食品を切断する切断刃を備え、
前記切断刃に過熱蒸気を噴霧する噴霧手段を有することを特徴とする食品の切断装置。
【請求項２】
前記載置台は、前記切断刃の切断方向に沿って相対的にスライド往復するスライド手段を有し、
前記載置台に載置した食品の切断寸法が一定になるようにした定板を有することを特徴とする請求項１記載の食品の切断装置。
【発明の詳細な説明】
【技術分野】
【０００１】
本発明は、例えば食パンのように弾力性のある食品を任意の厚さに切断する切断装置に関する。
【背景技術】
【０００２】
例えば、食パンはブロック状に焼き上げた後に任意の厚さに切断したパン片にし、食されたりサンドイッチに用いられる。
このような食品の切断装置としては、切断刃として帯状刃や丸刃が用いられている。
効率よく切断できるように特許文献１，２等、各種切断装置が提案されている。
しかし、いずれの場合にも食品に弾力性があるために切断刃による切断抵抗が大きく切断しにくく、無理に切断しようとすると切断面にムラや食片が発生し、きれいに切断できない技術的課題があった。
【先行技術文献】
【特許文献】
【０００３】
【特許文献１】特開２００８−２９０１５９号公報
【特許文献２】特開２００８−２９０１６０号公報
【発明の概要】
【発明が解決しようとする課題】
【０００４】
本発明は、食パン等の弾力性のある食品も切断が良好で、コンパクトな構造からなる食品の切断装置の提供を目的とする。
【課題を解決するための手段】
【０００５】
本発明に係る食品の切断装置は、切断する食品を載置する載置台と、前記食品を切断する切断刃を備え、前記切断刃に過熱蒸気を噴霧する噴霧手段を有することを特徴とする。
【０００６】
ここで、過熱蒸気は水蒸気を１００℃を超える温度に過熱した蒸気をいい、好ましくは２００℃〜５００℃に過熱したものがよい。
切断刃は帯刃でも丸刃でもよく、金属製が好ましい。
切断刃に過熱蒸気を僅かな量だけ少量噴霧すると、切断刃の表面にて凝縮し、極めて薄い水膜を形成し、これが潤滑剤として作用する。
過熱蒸気が切断刃の刃先に当たることで、刃先部分が加熱され温まる。
これらの作用により切断抵抗が過熱蒸気を噴霧しない場合に比較して１／２〜１／５以下になり弾力性がある食パンでも容易に切断できる。
また、過熱蒸気の噴霧量が極く少量でよく、切断刃の表面に接触しなかった過熱蒸気は高温であることから、そのまま空気中に飛散するので食パンや切断載置の周囲に何ら影響を与えない。
【０００７】
本発明において、前記載置台は、前記切断刃の切断方向に沿って相対的にスライド往復するスライド手段を有し、前記載置台に載置した食品の切断寸法が一定になるようにした定板を有するようにすると、構造が簡単でコンパクトな装置となりメンテナンスも容易である。
【発明の効果】
【０００８】
本発明に係る切断装置においては、切断時に切断刃の表面に過熱蒸気を少量噴霧することにより、切断抵抗が小さくなるとともにパンの切断面が滑らかできれいになる。
また、表面にて凝縮する水膜が極く薄く、それ以外の余分な蒸気は空気中に飛散するので、きれいな環境を維持しつつ良好に切断できる。
【図面の簡単な説明】
【０００９】
【図１】本発明に係る切断装置の斜視図を示す。
【図２】切断装置の平面視を示す。
【図３】過熱蒸気発生器の構造例を示す。
【発明を実施するための形態】
【００１０】
本発明に係る食品の切断装置は、切断刃に向けて過熱蒸気を少量噴霧できる点に特徴があり、切断装置そのものは各種構造を採用することができる。
【００１１】
図１，２に手動式の切断装置の例を示す。
ブロック状の食パンＢを載置するスライダー１２を有し、このスライダー１２はベース部１１のスライド溝部１２ａにそって、前後方向に往復スライド可能になっている。
スライダー１２は略Ｌ字形状になっていて、食パンＢを載せ、押込部１２ｂを操作し、食パンＢを切断刃１３に向けて移動させる。
駆動部１４に回転軸１４ａを介して連結し、回転制御された丸刃１３を有し、この丸刃の上部から過熱蒸気を噴霧するための過熱蒸気噴霧部１７を有する。
図３に、過熱蒸気発生器２０の構造例を示す。
略Ｌ字形状のハウジング２１の底部側に水Ｗを注入し、この部分に沸騰ヒーター２２を取り付け沸騰させる。
沸騰した水蒸気はＬ字型のハウジング２１の上部に設けた過熱ヒーター２３にて２００℃以上に過熱され、噴出口２４を連結パイプや蛇管１８等にて切断装置の過熱蒸気噴霧部１７に連結してある。
図示を省略したが、センサー及びソレノイドバルブ等を用いて、回転している切断刃１３に食パンＢが近づくの検知をすると、少量の過熱蒸気を１回噴霧し、噴霧を止める。
噴霧方法は、切断刃１３の両側面に過熱蒸気がスプレーされるようになっていれば、その構造に制限は無い。
本実施例は、断面コ字形状のハウジングを形成し、その内側に設けたノズルから過熱蒸気が噴霧されるようになっている。
少量の過熱蒸気を噴霧するタイミングは食パンＢの位置をセンサーで検知してもよく、スライダー１２のスライド位置を検知してもよい。
過熱蒸気の噴霧量は、回転する切断刃１３に向けて１回スプレーするだけで、この切断刃の回転する遠心力にて均一に極く薄い水膜を形成されるので０．１〜０．５秒等の極短時間でよい。
【００１２】
図２に示した平面視で、食パンの切断の流れを説明する。
スライダー１２に食パンＢを載せ、スライド溝部１２ａに沿って、押込部１２ｂを手等で押し込み操作する。
食パンＢが丸刃からなる切断刃１３に当たる直前に過熱蒸気が過熱蒸気噴霧部１７から一回のみスプレーされる。
切断されたパン片Ｂ１は、末広がりに形成した分離板に沿って切り離され、切断が完了すると下側に落下する。
この際に、切断されるパン片Ｂ１の厚みが一定になるように、定板１６が設けられていて、食パンＢの側面をこの定板に当てながらスライダー１２を前進させる。
【００１３】
本実施例は手動にてパン片を１枚ずつ切断する例を示したが、複数の切断刃を平行に配置し、１回で複数のパン片を切り出すものや、切断刃が自動で前進及び後退する自動式の切断装置であってもよい。
【符号の説明】
【００１４】
１１      ベース部
１２      スライダー
１３      切断刃
１４      駆動部
１５      分離板
１６      定板
１７      過熱蒸気噴霧部
１８      連結パイプ
【図１】
2019076968.tif 000003
【図２】
2019076968.tif 000004
【図３】
2019076968.tif 000005
(57)【要約】【課題】素材金属のしなやかさを保つことができる角形鋼管を提供する。【解決手段】本発明による角形鋼管は、長辺１Ｌ及び短辺１Ｓを有する断面矩形の角形鋼管１であって、短辺１Ｓの長さＬＳに対する長辺１Ｌの長さＬＬの割合（ＬＬ／ＬＳ）が２．０以上かつ４．０以下であり、周長Ｆに対する板厚Ｔの割合（Ｔ／Ｆ）が０．００３以上かつ０．０１６以下であり、素材金属の伸びと等しい伸びを有する。【選択図】図２
2019076925.tif 000002
【特許請求の範囲】
【請求項１】
長辺及び短辺を有する断面矩形の角形鋼管であって、
前記短辺の長さに対する前記長辺の長さの割合が２．０以上かつ４．０以下であり、周長に対する板厚の割合が０．００３以上かつ０．０１６以下であり、素材金属の伸びと等しい伸びを有する、
角形鋼管。
【発明の詳細な説明】
【技術分野】
【０００１】
本発明は、断面矩形の角形鋼管に関するものである。
【背景技術】
【０００２】
近年、断面矩形の角形鋼管が様々な用途で使用されている。様々な角形鋼管の中でも、短辺の長さに対する長辺の長さの割合が大きく、周長に対する板厚の割合が小さく、高平坦度（長辺の凹凸量が−０．１６〜０．００ｍｍ）及び小Ｓ値（板厚±０．５ｍｍ）を有する幅広薄形の薄肉管については、例えば下記の特許文献１等に示されているように、ダイスとプラグとを使用した引抜成形により製造されている。Ｓ値は、角形鋼管の角部の寸法である（図１参照）。
【先行技術文献】
【特許文献】
【０００３】
【特許文献１】特開昭６３−１５７７１９号公報
【発明の概要】
【発明が解決しようとする課題】
【０００４】
上記のような従来の角形鋼管は、引抜成形により製造されているので、加工硬化のため素材金属よりも伸びが低下し、素材金属が有していたしなやかさが失われてしまう。
【０００５】
本発明は、上記のような課題を解決するためになされたものであり、その目的は、素材金属のしなやかさを保つことができる角形鋼管を提供することである。
【課題を解決するための手段】
【０００６】
本発明に係る角形鋼管は、長辺及び短辺を有する断面矩形の角形鋼管であって、短辺の長さに対する長辺の長さの割合が２．０以上かつ４．０以下であり、周長に対する板厚の割合が０．００３以上かつ０．０１６以下であり、素材金属の伸びと等しい伸びを有する。
【発明の効果】
【０００７】
本発明の角形鋼管によれば、素材金属の伸びと等しい伸びを有するので、素材金属のしなやかさを保つことができる。
【図面の簡単な説明】
【０００８】
【図１】角形鋼管の角部の寸法であるＳ値を定義するための図である。
【図２】本発明の実施の形態による角形鋼管の断面図である。
【発明を実施するための形態】
【０００９】
以下、本発明を実施するための形態について、図面を参照して説明する。
実施の形態
図２は、本発明の実施の形態による角形鋼管１の断面図である。図２に示すように、角形鋼管１は、長辺１Ｌ及び短辺１Ｓを有する断面矩形のものである。この角形鋼管１は、短辺１Ｓの長さＬＳに対する長辺１Ｌの長さＬＬの割合（ＬＬ／ＬＳ）が２．０以上かつ４．０以下の幅広薄形であるとともに、周長Ｆに対する板厚Ｔの割合（Ｔ／Ｆ）が０．００３以上かつ０．０１６以下の薄肉管とされている。
【００１０】
なお、図２は、角形鋼管１の延在方向１Ｄに直交する面で角形鋼管１を切断した際の角形鋼管１の断面図であり、短辺１Ｓ及び長辺１Ｌの長さＬＳ，ＬＬはその断面において測ることができる。周長Ｆは、その断面における角形鋼管１の外周面の長さによって定義することができる。板厚Ｔは、任意の位置の断面、例えば短辺側の平板部等において測定できる。
【００１１】
角形鋼管１は、ロールフォーミングにより丸形鋼管を変形させることで製造される。ロールフォーミングでは、丸形鋼管を上下から挟む上下ロール対及び丸形鋼管を左右から挟む左右ロール対をそれぞれ含む複数のロールスタンドにより、丸形鋼管が断面矩形に徐々に変形される。丸形鋼管は、両側を互いに突き合わせるように平板状の素材金属を湾曲させて断面Ｃ字状のオープンパイプを形成し、それら両側の突合部分を溶接することで製造される。丸形鋼管の製造とロールフォーミングとを連続的に実施できる。
【００１２】
上述の丸形鋼管及び角形鋼管１の製造を通して、素材金属が丸形鋼管及び角形鋼管１の長手方向に実質的に引き伸ばされない。このため、丸形鋼管及び角形鋼管１の製造を通して素材金属に加工硬化が生じることを抑えることができ、角形鋼管１は素材金属の伸びと等しい伸びを有する。
【００１３】
素材金属とは、角形鋼管１の製造に用いられたものであり、丸形鋼管を製造する前の平板状のものを指す。素材金属及び角形鋼管１の伸びは、日本工業規格Ｚ２２４１に規定された金属材料引張試験方法に準拠して測定することができる。角形鋼管１の伸びと素材金属の伸びとが等しいとは、これらの伸びが厳密に等しいことのみならず、実質的に等しいことも含む。これらの伸びが実質的に等しいとは、例えば角形鋼管１の伸びをＥ１とし、素材金属の伸びをＥ０としたとき、（Ｅ０−Ｅ１）／Ｅ０が０．１０以下であることを意味することができる。
【００１４】
本発明の良好な伸びを有する角形鋼管は、丸形鋼管の成形後に引抜き成形を行うことなく、かつ、ロール成形機により丸形鋼管から角形鋼管に成形する際に用いる絞り率（外周長の変化率）を調整することで得ることができる。例えば、Ｚｎ−Ａｌ−Ｍｇ系合金めっき（片面めっき付着量：９０ｇ／ｍ２）が施された材質ＳＳ４００の鋼板（板厚：１．２ｍｍ）を周長が８４ｍｍで、短辺の長さに対する長辺の長さの割合が２．０以上かつ４．０以下で、Ｓ値が１．０以上かつ１．５以下の角形鋼管を製造する場合は、絞り率を６％以下に調整すれば（Ｅ０−Ｅ１）／Ｅ０を１．０以下とすることができる。なお、絞り率の調整は、ロール成形機の上下成形ロール対および左右成形ロール対の位置を変更することで行うことができる。
【００１５】
このような角形鋼管では、素材金属の伸びと等しい伸びを有するので、素材金属のしなやかさを保つことができる。
【符号の説明】
【００１６】
１  角形鋼管
１Ｓ  短辺
１Ｌ  長辺
１Ｄ  延在方向
【図１】
2019076925.tif 000003
【図２】
2019076925.tif 000004
(57)【要約】【課題】防草シートを硬い土に敷設するとき、円形型板底面に釘頭部挿入収納部Ｕ字型切り欠きがあるものに、釘頭部を挿入収納し一体にし、防草シートに上から挿し叩き込むことでしっかり固定保持し、且つ釘頭部の地上への露出を防ぎ錆などで美観を損ねることを防止する防草シート押え板を提供する。【解決手段】円形型板（１）釘頭部挿入収納部（２）を設け、これにＵ字型切り欠き部（３）を設ける。設けた防草シート押え板を特徴とする。【選択図】図２
2019076083.tif 000002
【特許請求の範囲】
【請求項１】
円形型板（１）裏面に、釘頭部挿入収納部（２）を設け、これにＵ字型切り欠き部（３）を設けてなる防草シート壁際押え板。
【発明の詳細な説明】
【技術分野】
【０００１】本発明は、防草シートを押える板に関するものである。
【背景技術】
【０００２】休耕地や住宅回りに雑草が生えないよう防草シートを地面に張り太陽光を遮光し雑草が生えることを防止している。その際、防草シートを敷設するためにピン用い防草シートに挿して固定しているが、硬い土にプラスチック製ピンや鉄線材を曲げたピンを土に打ち込む際に折れたり、曲ったり、途中で挿し込めないことが多く防草シートを張るのが難しいこのような場合に太い釘を使って金槌等で叩き込みするが時間が経過するほど釘の頭部が地上に露出しているので錆びて汚くなる。本品はこれらを防止し美観を損ねないものである。【０００３】防草シートを硬い土に敷設するときは、プラスチック製ピンや鉄製線材を曲げたものをさして固定させようとしても途中で折れたり、曲がったりして最後までさし込むことができないことが多い。また、挿し込んでも釘頭部が地上に露出しているので雨などで錆びを発生し汚く美観を損ね且つ、釘の腐食自体も早まってしまい、被覆シートの保持力が低下する。
【発明の概要】
【発明が解決しようとする課題】
【０００４】これは、次のような欠点があった。
防草シートを硬い土に敷設するときは、プラスチック製ピンや鉄製線材を曲げたものをさして固定させようとしても途中で折れたり、曲がったりして最後までさし込むことができないことが多い。また、挿し込んでも釘頭部が地上に露出しているので雨などで錆びを発生し汚く美観を損ね且つ、釘の腐食自体も早まってしまい、被覆シートの保持力が低下する。本発明は、太釘を使用することで丈夫で叩き込めるのでしっかりシートを長期に渡り敷設物を固定保護できるものであり、以上のような欠点を無くすためになされたものである。
【課題を解決するための手段】
【０００５】本発明は、円形型板（１）に釘頭部挿入収納部（２）を設け、これにＵ字型切り欠き部（３）を設ける。
【発明の効果】
【０００６】本発明は、円形型板にＵ字型切り欠きがある釘頭部挿入収納部を設けここに釘を挿入し、円形型板と釘が一体になった状態で硬い土に防草シートなどを敷いた上から金槌などで叩きこみ、シートを完全に押えることができる。同時に釘頭部が円形型板下面にあるため直接地上に露出せず雨に当たらないので錆びの進行を遅らせる効果がある。また、釘頭部が錆びても従来品と違い錆びた防部を露出せず美観を損ねることも防止できるものである。
【図面の簡単な説明】
【０００７】
【図１】本発明の平面を示した説明図である。
【図２】本発明の底面を示した説明図である。
【図３】本発明のＡ―Ａ断面を示した説明図である。
【図４】本発明品のＢ―Ｂ断面を示した説明図である。
【図５】本発明の使用実施図である。
【発明を実施するための形態】
【０００８】以下、本発明を実施するための形態について説明する。
円形型板（１）に釘頭部挿入収納部（２）を設け、これにＵ字型切り欠き部（３）を設ける。以上の形状をプラスチックで一体成型してなるものである。これを使用するときは、防草シートなど被覆材を敷き本発明品に釘を挿入収納し金槌などで土に叩き込みしっかり防草シートなどを押えることができる。また、人工芝など敷設するときにも本発明品を使えば釘の頭部をプラスチックの円形型板が覆うので、釘の錆びが容易に表面に出ることを防止し、同時に釘頭部が人に当りけがをすることも防止できるのである。
【符号の説明】
【０００９】１  円形型板
２  釘頭部挿入収納部
３  Ｕ字型切り欠き部
４  釘
【図１】
2019076083.tif 000003
【図２】
2019076083.tif 000004
【図３】
2019076083.tif 000005
【図４】
2019076083.tif 000006
【図５】
2019076083.tif 000007
(57)【要約】【課題】本発明は、掛け針が根掛かりした疑似餌を回収し更に本体が光る本体回収機能付き光る疑似餌本を得ることにある。【解決手段】本発明の疑似餌１は、掛け針が根掛がりしても  本体２のラインアイ４に結んだ道糸１１を強く引く事で中心貫通孔９内のシャフト固定ライ５ンを切断して脱着式の掛け針付きシャフト７を切り離して本体２を回収する事が出来る、シャフト固定ライン５を本体２の中に通す事で傷つける事も無い形状の本体２であり更に中心貫通孔９内に発光体６を格納する事で側面貫通孔１０から光が漏れて本体２を長時間光らす事ができる形状の本体回収機能付き光る疑似餌１提供する。【選択図】図１
2019076081.tif 000002
【特許請求の範囲】
【請求項１】
釣りに用いられる小魚やエビを模した外観の疑似餌であって、本体２の長手側方向の先端部に釣竿から伸びた道糸１１を結ぶ為に配置されたラインアイ４を設け本体２の腹部側に配置したシンカー８を設け後部に配置したラインフック３を設け、ラインフック３の後部に本体２の尾部から腹部にかけ配置した中心貫通孔９を設け、容易に変形しない材質のシャフトの一端に掛け針を設け他端をＵ字型に曲げた脱着式の掛け針付きシャフト７のシャフト部に道糸１１より引張強度が弱いシャフト固定ライン５を結び付けて中心貫通孔９の尾部からラインフック３に通しラインフック３に結び付けて掛け針付きシャフト７を固定する構造を特徴とする本体回収機能付き光る疑似餌。
【請求項２】
中心貫通孔９に直角に交わるように設けた側面貫通孔１０は、中心貫通孔９内に格納した発行体６の光が側面貫通孔１０から外部に漏れて本体２を光らす請求項１の本体回収機能付き光る疑似餌。
【発明の詳細な説明】
【技術分野】
【０００１】  本発明は、釣りに用いる疑似餌で本体を回収する本体回収機能付き光る疑似餌に関する。
【背景技術】
【０００２】疑似餌はラインアイに道糸を結びキャストして海底まで沈めてシャクリ上げる構造で、従来の疑似餌は、本体の後部にシャフト付き掛け針を固定して他端を本体後部の挿入穴に挿入し固定して一体化する、本体後部に本体と一体化した金属のフックを設け金属製の取り付け器具を介して掛け針を取り付ける構造である、本体を結ぶラインと掛け針を結ぶ２本ライン構造の疑似餌は、本体と掛け針を結ぶラインが道糸の途中から枝分けした構造でありキャスト中に疑似餌に絡まる、沈めていく途中やシャクリ上げる途中で枝分けされたラインがリング状になり海底の岩礁、藻、浮遊物に絡まる根掛がりする、ラインが擦れて傷付き切れ易くなる。いずれの疑似餌も掛け針が根掛がかりすると道糸を強く引き回収しようとしても、道糸が切れロストする欠点がある、掛け針に引っ張る荷重が設定値以上にかかるとシャフトから掛け針が滑り抜け本体を回収できる構造の疑似餌は回収し再生しても元の強度の設定になっているか解らない欠点がある。又本体を光らす為本体に穴を開け発光体を挿入する疑似餌はキャスト中、シャクリ上げ中に抜けて無くなる、本体に蓄光塗料を塗装した疑似餌は、長時間発光しない等の欠点がある。本体を簡単に回収出来て元の強度に再生出来て、更に本体を長時間安定して光らす疑似餌が必要とされていた。
【先行技術文献】
【特許文献】
【０００４】
【特許文献１】特開２０１０−２０７１３６
【特許文献２】実用新案登録３０３８５８７号
【特許文献３】特開２００４−２５４６９２
【特許文献４】特開  ２００７−２８２３９４
【発明の概要】
【発明が解決しようとする課題】
【０００５】  本発明は、以上のような従来の欠点に鑑み、掛け針が根掛がかりした疑似餌を疑似餌ごと回収するのではなく、道糸を強く引き脱着式の掛け針付きシャフトを切り離す事で容易に本体を回収する事が出来て釣り人が釣りをしている現場でも簡単に元の強度に再生出来て天候や時間帯に関係無く長時間光らす、本体回収機能付き光る疑似餌を提供することを目的としている。
【課題を解決するための手段】
【０００６】  上記目的を達成する為に本発明は、釣りに用いられる小魚やエビを模した外観の疑似餌であって、本体２の長手側方向の先端部に釣竿から伸びた道糸１１を結ぶ為に配置されたラインアイ４を設け本体２の腹部側に配置したシンカー８を設け後部に配置したラインフック３を設け、ラインフック３の後部に本体２の尾部から腹部にかけ配置した中心貫通孔９を設け、容易に変形しない材質のシャフトの一端に掛け針を設け他端をＵ字型に曲げた脱着式の掛け針付きシャフト７のシャフト部に道糸１１より引張強度が弱いシャフト固定ライン５を結び付けて中心貫通孔９の尾部からラインフック３に通しラインフック３に結び付けて掛け針付きシャフト７を固定する構造で更に中心貫通孔９には直角に交わるように設けた側面貫通孔１０は、中心貫通孔９内に格納した発行体６の光が外部に漏れて本体２を光らす体回収機能付き光る疑似餌。
【発明の効果】
【０００７】以上の説明から本発明にあっては、回収した本体２は同じ号数のシャフト固定ライン５と脱着式の掛け針付きシャフト７のスペアーがあれば釣りをしている現場でも最初と同じ設定強度の疑似餌１を簡単に再生することができ再使用する事が出来る、又釣り人の好みによって道糸１１とシャフト固定ライン５の組み合わせが可能である。【０００８】  小魚を捕食する魚類は光る物に対して敏感に反能する為、中心貫通孔９内に天候や時間帯に関係無く安定した発光する発光体６を格納して本体６を光らす事で釣果アップに繋がる。
【図面の簡単な説明】
【０００９】
【図１】本発明を実施するための最良の第１の形態の全体図である。
【図２】全体の縦断面である。
【図３】本体後方からの斜視図である。
【発明を実施するための形態】
【００１０】    以下、本発明の実施の形態を図に基づいて説明する。
【００１１】  図１は、本発明に係る本体回収付き光る疑似餌１の全体図である。図３の本体２の中心貫通孔９の尾部から掛け針付きシャフト７に道糸１１より引張強度が弱いシャフト固定ライン５を結び付けてラインフック３まで通し発行体６を格納してラインフック３に結び付けて掛け針付きシャフト７を固定してラインアイ４に道糸１１を結ぶ。
【００１２】  発光しなく成った発光体６は本体２のラインフック３に結んだシャフト固定ライン５を切り離し、掛け針付きシャフト７を中心貫通孔９から取り出せば交換出来る。
【符号の説明】
【００１３】１、本発明に係る本体回収機能付き光る疑似餌
２、本体
３、ラインフック
４、ラインアイ
５、シャフト固定ライン
６、発光体
７、脱着式の掛け針付きシャフト
８、シンカー
９、中心貫通孔
１０、側面貫通孔
１１、道糸
【図１】
2019076081.tif 000003
【図２】
2019076081.tif 000004
【図３】
2019076081.tif 000005
(57)【要約】【課題】本発明は、おむつを必要とする犬、又は公的場所でおむつを装着して連れる際、外れる心配や違和感なく、犬にやさしく装着することを提供する【解決手段】布製で全体を筒状のゴムで作ることによって、サイズの変動や動きの抵抗を無くすことができることを特徴とする【選択図】図１
2019076080.tif 000002
【特許請求の範囲】
【請求項１】
これまでのおむつを押さえる、カバーしながら隠すことを特徴とする
【発明の詳細な説明】
【技術分野】
【０００１】  本発明は、布を筒状にし、ゴムで伸縮しやすくし、オムツを止める物
【背景技術】
【０００２】  従来、犬用の紙おむつがあった（特許文献１参照）
又、オス犬用のマーキング防止用ベルトがあった（特許文献２参照）
【先行技術文献】
【０００３】
【特許文献１】特開  ２０１２−２００２０６号  公報
【特許文献２】実登  ３１９４４６３号  公報
【発明の概要】
【発明が解決しようとする課題】
【０００４】  そのために次のような問題点があった
（イ）犬のサイズに合ったおむつを使いきる前にサイズが合わなくなってしまった
（ロ）排尿しなければ何度か使いたくてもマジックテープ部分の着脱が効かなくなる
【課題を解決するための手段】
【０００５】使えなくなってしまったおむつを取り替えるのではなくそのままの状態に伸縮性のある筒状の物で押さえる
【発明の効果】
【０００６】（イ）これまでの物に付け加える事で買っておいた物を無駄なく使いきる事ができる
（ロ）犬も窮屈から解放され、ストレスなく動ける
（ハ）犬の毛色に合わせた布を使う事で、おむつをつけてる違和感もなくなる
【図面の簡単な説明】
【０００７】
【図１】本発明犬が装着している図
【図２】本発明の側面図
【図３】本発明の雌用の側面図
【図４】小さくなったおむつを無理に装着している図
【発明を実施するための形態】
【０００８】（イ）全体を（１）を布製にし、中心部に何本（２）かのゴムを通す
（ロ）雌用の場合、裾を長めにする事
【符号の説明】
【０００９】１  布
２  ゴム
３  長さ
【図１】
2019076080.tif 000003
【図２】
2019076080.tif 000004
【図３】
2019076080.tif 000005
【図４】
2019076080.tif 000006
(57)【要約】      （修正有）【課題】樹木の根鉢に巻く手間を軽減する根巻を提供する。【解決手段】根巻は、樹木を移植するときに、掘り出した樹木の根鉢に巻かれ、通気性及び透水性を有し、根鉢の側面を覆うカバ―部材と、カバ―部材に巻き回される固定部材２０と、を備え、固定部材２０は、ワイヤ―２１と、ワイヤ―２１の延びる方向において、ワイヤ―２１にスライド自在に取り付けられ、ワイヤ―２１の延びる方向と直交する方向に延びる複数の板材２２と、を備え、根鉢をカバ―部材で覆い、このカバ―部材の外周に固定部材２０を巻き回し、ワイヤ―２１の両端を互いに接近させることで、根鉢にカバ―部材を押え付ける。【選択図】図２
2019076013.tif 000002
【特許請求の範囲】
【請求項１】
樹木を移植するときに、掘り出した樹木の根鉢に巻く根巻であって、通気性及び透水性を有し、根鉢の側面を覆うとカバ―部材とカバ―部材に巻き回される固定部材とを備え、固定部材は、ワイヤ―と，ワイヤ―の延びる方向において、ワイヤ―にスライド自在に取り付けられワイヤ―の延びる方向と直交する、方向に延びる複数の板材と、を備え、根鉢をカバ―部材で覆い、このカバ―部材の外周に固定部材を巻き回し、ワイヤ―の両端を互いに接近させることで、根鉢にカバ―部材を押え付ける根巻。
【請求項２】
板材は、直交方向に配列された複数の板を有し、複数の板は、互いに隣接する板と直交方向に延びる軸を中心に回動可能に連結されており、複数のワイヤ―にそれぞれ取り付けられている請求項１に記載の根巻。  
【発明の詳細な説明】
【技術分野】
【０００１】
樹木を移植するときに、掘り出した樹木の根鉢に巻く根巻に関する。
【背景技術】
【０００２】
従来、樹木の移植方法として、樹木の根鉢の周囲を堀り下げる工程、露出した根に環状剥皮を行う工程、透水性および通気性を有し、さらに樹木の根の伸張を抑制できる強度を有するシートで掘り下げた部分の全部または一部分を覆う工程、シートで覆った部分に最大容水時の三相分布における液相の割合が６０％以上である培養土を充填する生工程、シート内に根毛が充分に発根するまで、樹木を養生する生、そしてシートおよびシート内の培養土を含む根鉢と共に樹木を移植先まで搬送する工程により樹木を移植する方法が提案されている。
【先行技術文献】
【特許文献】
【０００３】
【特許文献１】特開２００７−１４２０４号公報
【発明の概要】
【発明が解決しようとする課題】
【０００４】
しかしながら、シ―トで覆う工程は、シ―トで根鉢を覆った後、シ―トの周囲を荒縄等で締め付ける必要があるが、シ―トが落ちないように荒縄等で締める必要があり、手間がかかっていた。  
【課題を解決するための手段】
【０００５】
樹木を移植するときに、掘り出した樹木の根鉢に巻く根巻であって、通気性及び透水性を有し、根鉢の側面を覆うとカバ―部材と、カバ―部材に巻き回される固定部材と、を備え、固定部材は、ワイヤ―と、ワイヤ―の延びる方向において、ワイヤ―にスライド自在に取り付けられ、ワイヤ―の延びる方向と直交する方向に延びる複数の板材と、を備え、根鉢をカバ―部材で覆い、このカバ―部材の外周に固定部材を巻き回し、ワイヤ―の両端を互いに接近させることで、根鉢にカバ―部材を押え付ける根巻。
【０００６】
板材は、直交方向に配列された複数の板を有し、複数の板は、互いに隣接する板と直交方向に延びる軸を中心に回動可能に連結されており、複数のワイヤ―にそれぞれ取り付けられている請求項１に記載の根巻。
【発明の効果】
【０００７】
本発明によれば、樹木の根鉢に巻く根巻にかかる手間を軽減することを目的とすることができる。
【図面の簡単な説明】
【０００８】
【図１】本発明の実施形態に係わる根巻きを説明する図面である。
【図２】本発明の実施形態に係わる根巻の広げた状態を示す図である。
【図３】本発明の実施形態に係わる根巻の断面図である。
【発明を実施するための形態】
【０００９】
根巻１は、樹木を移植するときに、掘り出した樹木の根鉢に巻くかれ、通気性及び透水性を有し、根鉢の側面を覆うとカバ―部材１０と、カバ―部材１０に巻き回される固定部材２０と、を備える。固定部材２０は、ワイヤ―２１と、ワイヤ―２１の延びる方向において、ワイヤ―２１にスライド自在に取り付けられ、ワイヤ―２１の延びる方向と直交する方向に延びる複数の板材２２と、を備え、根鉢をカバ―部材１０で覆い、このカバ―部材１０の外周に固定部材２０を巻き回し、ワイヤ―２１の両端を互いに接近させることで、根鉢にカバ―部材１０を押え付ける。
【００１０】
板材２２は、直交方向に配列された複数の板２２１を有し、複数の板２２１は、互いに隣接する板２２１と丁番により、直交方向に延びる軸を中心に回動可能に連結されており、複数のワイヤ―にそれぞれ取り付けられている。
【符号の説明】
【００１１】
１  根巻
１０  カバ―部材
２０  固定部材    
２１  ワイヤ―
２２  板材
２２１  板
【図１】
2019076013.tif 000003
【図２】
2019076013.tif 000004
【図３】
2019076013.tif 000005
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
樹木を移植するときに、掘り出した樹木の根鉢に巻く根巻であって、通気性及び透水性を有し、根鉢の側面を覆うカバー部材と、カバー部材に巻き回される固定部材とを備え、固定部材は、ワイヤーと、ワイヤーの延びる方向において、ワイヤーにスライド自在に取り付けられ、ワイヤーの延びる方向と直交する方向に延びる複数の板材と、を備え、根鉢をカバー部材で覆い、このカバー部材の外周に固定部材を巻き回し、ワイヤーの両端を互いに接近させることで、根鉢にカバー部材を押え付ける根巻。
【請求項２】
板材は、ワイヤーの延びる方向と直交する方向に配列された複数の板を有し、複数の板は、互いに隣接する板とワイヤーの延びる方向に延びる軸を中心に回動可能に連結されており、複数のワイヤーに複数の板がそれぞれ取り付けられている請求項１に記載の根巻。
(57)【要約】【課題】  コンクリートブロック等の錘部材を使用することなく強風による転倒等の問題が発生せず、また持ち去り難い宅配ボックス固定構造を提供する。【解決手段】  配達された荷物を一時保管する宅配ボックス１の背面に、ベルト３を使用して支柱２に締着するためのベルト支持金具１３を取り付け、支柱２に対してベルトで宅配ボックス１を締着固定する。【選択図】  図１
2019076389.tif 000002
【特許請求の範囲】
【請求項１】
配達された荷物を一時保管するための宅配ボックスを固定する宅配ボックス固定構造であって、
前記宅配ボックスの背面或いは側面に、支柱に締着して固定するためのベルトを支持するベルト支持金具を備えて成り、前記ベルトにより支柱に締着固定されることを特徴とする宅配ボックス固定構造。
【発明の詳細な説明】
【技術分野】
【０００１】
本発明は、玄関先等に設置して居住者が不在の時に配達された荷物を一時保管する宅配ボックスを固定するための宅配ボックス固定構造に関する。
【背景技術】
【０００２】
配達された宅配物や郵便物等を一時保管する戸建て住宅向けの宅配ボックスとしては、例えば特許文献１に開示されている構造のものがある。この特許文献１に開示されている宅配ボックスは、広く知られているコンクリートブロックを錘として底板上に配置し、底板から２本の支柱を立設して、この支柱に宅配物等を収容して保管する宅配ボックスを取り付けた。
【先行技術文献】
【特許文献】
【０００３】
【特許文献１】特開２０１７−６３９６１号公報
【発明の概要】
【発明が解決しようとする課題】
【０００４】
上記特許文献１の構造は、錘としてのコンクリートブロックが左右に配置した支柱に把持されているため、コンクリートブロックの取り外しは容易ではなく、宅配ボックスの移動、更には持ち去りが難しく盗難を防止できた。
しかしながら、ここで使用されているコンクリートブロックは割れ易く、強風等の外力により台座が転倒したら割れて支柱から外れてしまうことが考えられ、そうなると宅配ボックスは容易に持ち去ることが可能となってしまう。
【０００５】
そこで、本発明はこのような問題点に鑑み、コンクリートブロック等の錘部材を使用することなく強風による転倒等の問題が発生せず、また持ち去られ難い宅配ボックス固定構造を提供することを目的としている。
【課題を解決するための手段】
【０００６】
上記課題を解決する為に請求項１の発明は、配達された荷物を一時保管するための宅配ボックスを固定する宅配ボックス固定構造であって、宅配ボックスの背面或いは側面に、支柱に締着して固定するためのベルトを支持するベルト支持金具を備えて成り、ベルトにより支柱に締着固定されることを特徴とする。
【発明の効果】
【０００７】
本発明によれば、宅配ボックスは支柱に締着されるため、強風により転倒することがないし、軽い構造としても持ち去られることもない。また、電柱により架空配設された商用電力を引き込む際に使用される支持ポールがある場合は、この支持ポールを使用することができ、新たな支柱を設けることなく容易に設置できる。
【図面の簡単な説明】
【０００８】
【図１】本発明に係る宅配ボックス固定構造の一例を示し、背面にベルト支持金具を備えた宅配ボックスの斜視説明図である。
【図２】図１の平面説明図である。
【図３】図１の宅配ボックス固定構造の要部説明図であり、（ａ）はベルト支持金具の斜視図、（ｂ）はベルトの斜視図である。
【発明を実施するための形態】
【０００９】
以下、本発明を具体化した実施の形態を、図面を参照して詳細に説明する。図１〜３は本発明に係る宅配ボックス固定構造を示し、支柱に固定する構造を示している。図１は斜視説明図、図２は平面説明図、図３（ａ）は宅配ボックスに取り付けられているベルト支持金具の斜視図、図２（ｂ）はベルトの斜視図を示している。
【００１０】
宅配ボックス１は、合成樹脂製あるいは金属製の箱体であり、前面が開口した本体１１と、本体１１に蝶着されて本体１１の前面を開閉する扉１２とから成り、前方から荷物を出し入れするよう構成されている。そして、背面に支柱２に取り付けるためのベルト３を装着するベルト支持金具１３が取り付けられ、ベルト３により支柱２に締着されて固定される。
【００１１】
ベルト支持金具１３は箱形状を成して支柱２に当接する後方に向けて開放形成されている。前面側は板状の固定部材１４を介して本体１１の背面に連結されている。固定部材１４は、溶接或いはねじ止めでベルト支持金具１３に固着され、宅配ボックス１の本体１１とは図示しないボルトにより連結される。尚、１４ａはボルト通挿孔を示している。
また支柱２に当接する部位は、三角形状に切り欠かれた取付凹部１３ａが形成されており、支柱２に安定して密着するよう形成されている。
更に図２に示すように、内部にベルト３を案内して支持するための一対の案内部材１３ｂが配置されており、この案内部材１３ｂは縦に平行に配置された棒体であり、この案内部材１３ｂと支柱２とを一体化するようベルト３が巻回される。
【００１２】
このように、宅配ボックス１は支柱２にベルト３で締着固定されるため、強風により転倒することがないし、軽い構造としても持ち去られることもない。また、電柱等で架空配設された商用電力の電線を家屋に引き込む際に支持ポールが使用される場合は、この支持ポールに宅配ボックス１を取り付ければよく、新たな支柱を設けることなく容易に設置できる。
【００１３】
尚、上記実施形態は、扉１２の反対側となる宅配ボックス１の背面にベルト支持金具１３を配置しているが、宅配ボックス１の側面にベルト支持金具１３を配置して宅配ボックス１の側部を支柱２に固定しても良い。
また、扉１２は前方に開閉する構成としているが、宅配ボックス１の天面に扉を設けて上方に開閉操作する構成としても良い。
更に、ベルト３は金属製のバンドでも良いが、合成樹脂製の軽量化された宅配ボックスであれば、ナイロン等合成繊維製のラッシングベルトを使用しても良い。
【符号の説明】
【００１４】
１・・宅配ボックス、２・・支柱、３・・ベルト、１１・・本体、１２・・扉、１３・・ベルト支持金具。
【図１】
2019076389.tif 000003
【図２】
2019076389.tif 000004
【図３】
2019076389.tif 000005
(57)【要約】【課題】米農家の田植え期においてビニールハウス等で育てておいた苗を、田んぼに植え替える作業時に膝や腰を曲げず低床の育苗箱を持ち上げやすい農機具を提供する【解決手段】柄の先にフックを取り付けた苗箱掴み機を使用する事で、苗箱フチ部の窪みに引っ掛け持ち上げ、もう一方の手により運搬車の上に安易にのせることができ、背面部に倒れ防止を設ける事で倒れず固定され自立した状態となる。また引っ掛け吊上げた状態のまま運搬車に乗せる事も可能である【選択図】図４
2019182646.tif 000002
【特許請求の範囲】
【請求項１】
キッチン流し台の縁部に装着、固定する事を目的とした掛け部が一体化もしくは分離化したゴミ箱と転倒防止用に流し台の縁部に固定できる掛け部が付きゴミ箱を上下にスライドでき、移動できるキャリーカーを組み合わせた構造のキッチンゴミ箱装置
【発明の詳細な説明】
【技術分野】
【０００１】本発明はキッチンゴミ箱移動装置に関する
【背景技術】
【０００２】近年、台所の流し台から出たゴミは三角コーナーで、水分を取り、ゴミ箱に入れていた
【発明の概要】
【発明が解決しようとする課題】
【０００３】然し、台所のゴミ箱は必ずしとも使用者の近くにあるとは限らず、キッチンの設計状態においては背面、もしくは低い状態に設置されている場合が多く、水気を帯びた三角コーナーや食材の残物、包装具をゴミ箱に入れる際、少なからず床を汚していた。また、ビニール袋を取り外し可能フックに掛けて使用していた。従来にはなかったキッチンゴミ箱装置の提供を課題とする
【課題を解決するための手段】
【０００４】本発明は、掛け部を一体化、分離化した流し台の縁外側に取り付け可能としたゴミ箱とそれ自体を取り付け上下にスライドできる構造、もしくは柄の部分が掛け部になっている構造のキャリーカーを使用したキッチンゴミ箱装置を使用することで上記課題を解決する
【発明の効果】
【０００５】流し台での作業時、立ち姿勢のまま至近距離でゴミを捨てる事ができるので、床を汚水によって汚す事がなくなる、また低い場所のゴミ捨てによる腰痛・膝痛等の抑止による効果が図れる
【発明を実施するための形態】
【実施例】
【０００６】以下、本発明のキッチンゴミ箱装置を説明する【０００７】図１、図２はフック付きゴミ箱Ａ掛け部が一体化したフック付きゴミ箱Ａの傾視図・掛け部１の収納時の傾視図であり、ゴミ箱の背面横側両方に掛け具１が付属してあり、流し台に設置出来る構造となっている。また図３は本考案の分離型であり、掛け部１を施したフック付き籠Ｂにゴミ箱２が収まる形態である。フック付き籠Ｂから取り外せる事で、通常のゴミ箱としてキッチン以外での使用も可能である。【０００８】図４の、伸縮式ハンガーＣは流し台１０１の内外壁面に取り付けフック部３にゴミ箱２の受け口４に掛けて使用する。幅調整ボルト６によってある程度の幅に調整し、締め付けハンドル５を回すことで流し台の縁部内外壁面を挟んで締め付け固定方法となる。伸縮式ハンガーＣの流し台の縁部の内外壁面接触部には滑り止めと固定度が増すためにパット７を付着させる構造となる【０００９】図５のキッチンゴミ箱装置Ｄは流し台の縁に掛け固定する掛け部１の機能と移動する為のハンドルの役割をし、上下にゴミ箱２をスライドできる高さ調整スライドロック固定具８によって、使用に適した高さにすることが可能となる。またキッチンゴミ箱装置Ｄはキャスター９が付属しており、底板も図の矢印が示すように開閉することが出来収納面においての機能をもつ。図６は実際にキッチンゴミ箱装置Ｄを流し台１０１に設置した実施例図である【００１０】
【図面の簡単な説明】
【００１１】
【図１】一体型の一実施例の傾視図
【図２】図１のフック収納時の傾視図
【図３】分離型の実施例図
【図４】分離型の他実施例図
【図５】キッチンゴミ箱装置の傾視図
【図６】図５の実施例図
【符号の説明】
【００１１】Ａ      フック付きゴミ箱
Ｂ      フック付き籠
Ｃ      伸縮式ハンガー
Ｄ      キッチンゴミ箱装置
１      掛け部
２      ゴミ箱
３      フック部
４      受け口
５      締め付けハンドル
６      幅調整ボルト
７      パット
８      高さ調整スライドロック固定具
９      キャスター
１０１  流し台
【図１】
2019182646.tif 000003
【図２】
2019182646.tif 000004
【図３】
2019182646.tif 000005
【図４】
2019182646.tif 000006
【図５】
2019182646.tif 000007
【図６】
2019182646.tif 000008
(57)【要約】【課題】    精製した熊油を低温で紫根・当帰を抽出するため、成分確保が出来、皮膚への吸収力の強い製品が得られる。【解決手段】精製した熊油に１２０℃から１３０℃で各個に紫根・当帰を抽出することである。【選択図】なし【特許請求の範囲】
【請求項１】
熊の生体から採取した脂肪を加圧鍋で２時間加熱し、精製した熊油をえること。
【請求項２】
精製した熊油に紫根を加えて、１３０℃で３０分加熱して紫紅色の液を得ること。
【請求項３】
精製した熊油に当帰を加えて、１３０℃で４０分加熱して淡褐色の液を得ること。
【請求項４】
請求項２・３の濾液を７０℃から８０℃で加熱しながら粉末状の日本ミツバチの蜜蝋を加えて放冷すること。
【発明の詳細な説明】
【発明の詳細な説明】
【技術分野】
【０００１】                  本発明は、熊油に紫根当帰を低温で抽出する、製造方法に関する。
【背景技術】
【０００２】    従来の軟膏製法はごま油に豚脂を加えて、１８０℃の高温で紫根当帰を同一油で抽出するため、一部成分の分解が起こり効能に影響を与える欠点がある。
【発明が解決しようとする課題】
【０００３】  本発明は精製した熊油を各個に用いて、低温で紫根当帰を抽出して混合し、蜂蜜を含む日本みつばちの蜜蝋を加えるため、成分が安定し、紫根当帰の吸収力の強い効能が発揮される。
【実施例】
【０００４】日本ツキノワグマの生体から採集した脂肪１Ｋｇに５００ｍｌの水を加えて、加圧鍋で加圧しながら２時加熱して放冷し、ブレンダーで攪拌細切りし、５℃以下に冷却し、９００ｇの精製した熊油を得る。
精製した熊油１５０ｇに２３ｇの紫根を加えて１２０℃から１３０℃で３０分加熱して、ガーゼ布を用いて濾過し紫紅色の紫根液をえる。
また別に精製熊油１５０ｇに２０ｇの当帰を加えて、１２０℃から１３０℃で４０分加熱して淡褐色の当帰液を得る。
紫根液と当帰液を混合して、で加熱しながら日本ミツバチの蜜蝋を加えて放冷する。
【発明の効果】
従来法では、ごま油・豚脂を混合して１８０℃以上で紫根・当帰を加えるため、成分  確保ができない。
本発明は、熊油に低温で紫根・当帰を抽出するため、抽出効果が大きく、成分確保ができ  る利点がある。
(57)【要約】【課題】逆止弁を設ける蓋体の構造は、部品点数も多く、複雑な構造となっている。本発明は、このような問題を解決するためになされたものであり、逆流防止構造を一体的に備えた簡略な構造の蓋体を提供することを目的とする。【解決手段】本発明の飲料用容器の飲み口は、上面と側面とを有する飲料用容器の飲み口であって、上面の第１の側面寄りの領域の上方及び第１の側面側を覆うカバー部と、カバー部の内側空間においてその内面と一体的に形成されると共にその頂部においてカバー部の内面との間に飲料の流出孔を形成する返し部と、上面の第１の側面寄りの領域とは反対側の第２の側面寄りの領域に形成された障壁部と、を備えたことを特徴とする。【選択図】図１
2019182542.tif 000002
【特許請求の範囲】
【請求項１】
上面と側面とを有する飲料用容器の飲み口であって、
前記上面の前記第１の側面寄りの領域の上方及び前記第１の側面側を覆うカバー部と、前記カバー部の内側空間においてその内面と一体的に形成されると共にその頂部において前記カバー部の内面との間に飲料の流出孔を形成する返し部と、前記上面の前記第１の側面寄りの領域とは反対側の第２の側面寄りの領域に形成された障壁部と、を備えたことを特徴とする飲料用容器の飲み口。
【請求項２】
前記カバー部はドーム形状であり、前記返し部はその断面形状が弧状であり、前記障壁部の側面側は、弧状の傾斜壁面となっていることを特徴とする請求項１に記載の飲料用容器の飲み口。
【発明の詳細な説明】
【技術分野】
【０００１】  本発明はボトル等の首部に装着して、直接口をつけて飲んでも口の中の雑菌がボトル内に逆流しない形状の飲料用容器の飲み口に関するものである。
【背景技術】
【０００２】  ボトル等飲料容器に直接口をつけて飲む時、口の中に触れた飲料がボトル内部に逆流するため、ボトル内部に残った飲料に雑菌が混入し、時間の経過とともに雑菌が増殖することで再びその飲料を飲んだ時に健康を害する恐れがある。
そのような問題を解決するために、例えば、特許文献１に示されるような逆止弁を用いた逆流防止の構造を備えた飲み口が知られている。
【先行技術文献】
【特許文献】
【０００３】
【特許文献１】特許第６２６８３７７号公報
【発明の概要】
【発明が解決しようとする課題】
【０００４】  しかしながら、上記のような逆止弁を設ける飲み口の構造は、部品点数も多く、複雑な構造となっている。本発明は、このような問題を解決するためになされたものであり、逆流防止構造を一体的に備えた簡略な構造の飲み口を提供することを目的とする。
【課題を解決するための手段】
【０００５】  本発明の飲料用容器の飲み口は、上面と側面とを有する飲料用容器の飲み口であって、上面の第１の側面寄りの領域の上方及び第１の側面側を覆うカバー部と、カバー部の内側空間においてその内面と一体的に形成されると共にその頂部においてカバー部の内面との間に飲料の流出孔を形成する返し部と、上面の第１の側面寄りの領域とは反対側の第２の側面寄りの領域に形成された障壁部と、を備えたことを特徴とする。
【発明の効果】
【０００６】  本発明の飲み口を使用することで、ボトル内に残った液体の腐敗が抑えられ、その後数回に分けても安全に飲用できる。
ボトル等の首部に本発明の飲み口を装着した場合、ボトルを傾けながら又はボトルを押しながら、本発明の飲み口の障壁部に下唇が当たるように直接口をつけて飲料を飲む場合、飲料は上方の飲料の流出孔から空間を落ちるように口の中に入るため、口の中又は口の中に入った飲料とボトルの中に残っている飲料が接触することがない。
また、飲料を飲み終わる際にボトルの傾きを戻す時には、カバー部の内側の返し部より外側にある飲料は口の中に落ち、返し部より内側にある飲料はそのままボトル内に戻るため、飲料の逆流が起きない。よって口の中の雑菌がボトル内に混入することがなく、ボトル内で時間の経過とともに雑菌が繁殖することを防止できる。
さらに、上唇は、カバー部の外側に接触しても、飲料の流出孔は、カバーで覆われているため、流出孔が直接、唇又は口内に接触することはない。
【図面の簡単な説明】
【０００７】
【図１】本発明の一実施形態の斜視図である。
【図２】本発明の一実施形態の蓋を側方から見た図である。
【図３】本発明の一実施形態の蓋の断面図である。
【発明を実施するための形態】
【実施例】
【０００８】  以下、本発明の一実施例を、図１〜図３に基づいて説明する。
図１は、本発明の一実施例の飲み口の斜視図、図２は、飲み口の側面図である。飲み口は、上面７の第１の側面寄りの領域の上方及び第１の側面側を覆う外形がドーム状のカバー部２、カバー部２の内側空間においてその内面と一体的に形成されると共にその頂部においてカバー部２の内面との間に飲料の流出孔３を形成する返し部（断面が凸弧状の傾斜壁部）４、上面７の第１の側面寄りの領域とは反対側の第２の側面寄りの領域に形成された障壁部（側面側に形成された弧状の傾斜壁）５により構成される。【０００９】  図３は、図１、図２に示す飲み口の断面図である。本発明の一実施例の飲み口は、本体の内側にはねじ部６があり、これによりペットボトル等の容器の首部に、本発明の飲み口を装着して使用するものである。【００１０】  ボトルを傾けて飲む際には、図３のようにカバー部２が上に来るようにして使用する。すなわち、上唇をカバー部２の上側に当て、下唇は障壁部５の下側に当てて使用する。ボトル内部の飲料は開口部１から流出孔４を通過して口腔内に流出することになる【００１１】。
飲料が流出する際には、カバー部２により、上唇が直接開口部１および流出孔４に触れないようになっている。また、障壁部５に下唇が当たるため、人がカバー部２をくわえて、下唇や舌が返し部３およびカバー部２に触れることを防いでいる。【００１２】  障壁部５が下唇に当たることにより、飲料が流出する流出孔４と口腔内に適当な空間ができ、ボトル内の飲料と口腔内の飲料が接続することを防ぐことができる。【００１３】  ボトル内の飲料を一口飲み終わるごとにボトルの傾きは垂直に戻るが、この際返し部３を境に、ボトル側の飲料はボトル内に戻り、口腔側の飲料は口腔に流れる。これにより飲料が口腔内からボトル内に逆流することがない。【００１４】  本発明の飲み口は、単純な構造で製造や洗浄等も比較的簡易に行うことができる。様々な逆流防止機構の中でも、低コストで提供できる可能性がある。【００１５】  本発明の飲み口の使い方は、一般にボトルから飲料を飲む方法とおおむね同様である。ボトルを傾けることやボトル本体を軽く押すことにより適量の飲用ができるため、お年寄りや小さな子供でも使いやすい設計になっている。ねじ部６の形状は、ボトル首部の形状に応じて製造することで、様々な種類のボトル等に装着できることはいうまでもない。
【符号の説明】
【００１６】１  開口部
２  カバー部
３  流出孔
４  返し部
５  障壁部
６  ねじ部
７  上面
８  側面
【図１】
2019182542.tif 000003
【図２】
2019182542.tif 000004
【図３】
2019182542.tif 000005